(57)【要約】【課題】表示装置側で行なわれる録画予約に基づく録画の失敗を防止して、ユーザの使い勝手を向上させた録画予約システム及び表示装置を提供する。【解決手段】制御部３３は、アンテナケーブル４と接続されているかどうかを、ＨＤＭＩケーブル１０、２０のそれぞれを介してＤＶＤレコーダ１とブルーレイレコーダ２とに問い合わせる。制御部３３は、接続機器から返信される結果に基づいて、複数の録画装置の内、アンテナケーブル４と接続されていない録画装置を特定する装置特定情報を、画面に表示するよう映像出力部３６に指示する。これにより、例えば、ユーザがブルーレイレコーダ２に録画させる旨の録画予約をＴＶ３に設定していた場合、ブルーレイレコーダ２にはアンテナケーブルが接続されていないので、ＴＶ３には図５に示すようなメッセージがＯＳＤで表示される。【選択図】  図５
2009225396.tif 000002
【特許請求の範囲】
【請求項１】
装置本体に接続されるアンテナで受信したテレビ番組の番組データをメディアに録画する複数の録画装置と、
複数の双方向型のケーブルのそれぞれを介して前記複数の録画装置のそれぞれと接続される複数の入力ポートと、前記複数の録画装置のいずれかに対する録画予約の入力を受付けるリモコンから送信される信号を受信する受信手段と、を有する表示装置と、
を備えた録画予約システムにおいて、
前記表示装置は、前記録画予約に関する信号を前記受信手段が受信すると、前記録画装置が前記アンテナと接続されているかどうか、前記ケーブルのそれぞれを介して前記複数の録画装置に問い合わせる表示制御手段を有し、
前記複数の録画装置のそれぞれは、前記問い合わせがあると、前記装置本体が前記アンテナと接続されているかどうか確認し、その確認結果を前記ケーブルを介して前記表示装置に返信する返信手段を有し、
前記表示装置の前記表示制御手段は、前記返信手段から返信される前記確認結果に基づいて、前記複数の録画装置の内、前記アンテナと接続されていない前記録画装置を特定する装置特定情報を、画面に表示する録画予約システム。
【請求項２】
前記双方向型のケーブルは、ＨＤＭＩケーブルで構成され、
前記表示制御手段と前記返信手段は、前記問い合わせに関する通信を、ＨＤＭＩ−CEC規格で定義される特殊コマンドで行う請求項１に記載の録画予約システム。
【請求項３】
前記表示制御手段は、前記録画予約で指定された１台の録画装置が前記装置特定情報に含まれている場合、前記録画予約の設定を拒む請求項１又は２に記載の録画予約システム。
【請求項４】
前記表示制御手段は、録画予約時および録画開始前に、前記装置特定情報を前記画面に表示するよう前記表示手段に指示する請求項１から３のいずれかに記載の録画予約システム。
【請求項５】
前記録画装置は、ＤＶＤレコーダ、ブルーレイレコーダ、又はハードディスクレコーダで構成され、
前記装置特定情報は、前記録画装置の種類を示す情報である請求項１から４のいずれかに記載の録画予約システム。
【請求項６】
アンテナで受信したテレビ番組の番組データをメディアに録画する複数の録画装置と複数の双方向型ケーブルのそれぞれを介して接続される複数の入力ポートと、
前記複数の録画装置のいずれかに対する録画予約の入力を受付けるリモコンから送信される信号を受信する受信手段と、を有する表示装置において、
前記録画予約に関する信号を前記受信手段が受信すると、前記録画装置が前記アンテナと接続されているかどうか、前記複数の双方向型ケーブルのそれぞれを介して前記複数の録画装置に問い合わせる表示制御手段を有し、
前記表示制御手段は、前記複数の録画装置から返信される返信結果に基づいて、前記複数の録画装置の内、前記アンテナと接続されていない前記録画装置を特定する装置特定情報を、画面に表示する表示装置。
【発明の詳細な説明】
【技術分野】
【０００１】
本発明は、双方向型ケーブルを介して録画装置と表示装置とが互いに接続され、録画装置の録画予約の設定を表示装置側から行う録画予約システム、及び、そのシステムで適用される表示装置に関するものである。
【背景技術】
【０００２】
従来より、双方向型ケーブルを介して録画装置と表示装置とが互いに接続された録画予約システムが広く一般に普及している。録画装置は、例えばＤＶＤレコーダ、ブルーレイレコーダである。また、表示装置は、例えば液晶テレビ、プラズマテレビである。そして、双方向型ケーブルは、例えばHDMIケーブルである。以下、HDMIケーブルで接続された録画予約システムについて説明する。
【０００３】
この録画予約システムには、HDMIケーブルで接続された機器を、いずれかの機器のリモコンで連動制御できるようにするＣＥＣ(Consumer Electronic Control)機能が付いている。例えば、この機能により、ユーザは、DVDレコーダの再生キーを押すとテレビの電源を同時に入れることができたり、DVDレコーダの録画予約の設定をテレビ側から行うことができる。
そのため、このような録画予約システムにおいて、ユーザは、リモコンを持ちかえることなく、録画装置の録画予約の設定を表示装置側から行っていた。例えば、ユーザは、５月３日の８時から１０１ＣＨで放送されるテレビ番組をＤＶＤレコーダに録画させる録画予約をＴＶに対し入力する。録画予約が入力されると、表示装置は設定された録画予約の内容を、HDMIケーブルを介して録画装置に送信する。そして、録画装置は、その録画予約内容に基づいて録画を行う。
なお、特許文献１では、信号再生装置が提案されている。
【特許文献１】特開２００７−２７４２９６公報
【発明の開示】
【発明が解決しようとする課題】
【０００４】
しかしながら、上記従来の録画予約システムにおいて、表示装置側ではアンテナケーブルが録画装置に接続されているかどうか把握できていない。そして、録画予約内容を録画装置に送信した後は録画を録画装置に任せ、表示装置は録画装置の録画動作を監視しない。また、近年の表示装置は入力ポートの数が増え、複数台の録画装置と接続されることが増えてきており、アンテナケーブルが接続されていない機器に対する録画予約の設定をユーザが誤って表示装置にしてしまうケースも出てきている。
そのため、従来の録画予約システムでは、ユーザが録画予約を表示装置で設定しても、録画ができていないというケースがあった。従って、従来の録画予約システムは、録画予約が便利になっても実際に録画ができていないというケースが発生する不完全なシステムであり、ユーザの使い勝手が悪かった。
【０００５】
本発明はこのような従来の課題を解決しようとするものであり、表示装置側で行なわれる録画予約に基づく録画の失敗を防止して、ユーザの使い勝手を向上させた録画予約システム及び表示装置を提供することを目的とする。
【課題を解決するための手段】
【０００６】
本発明の録画予約システムは、前記課題を解決するために以下の構成を備えている。
【０００７】
（１）装置本体に接続されるアンテナで受信したテレビ番組の番組データをメディアに録画する複数の録画装置と、
複数の双方向型のケーブルのそれぞれを介して前記複数の録画装置のそれぞれと接続される複数の入力ポートと、前記複数の録画装置のいずれかに対する録画予約の入力を受付けるリモコンから送信される信号を受信する受信手段と、を有する表示装置と、
を備えた録画予約システムにおいて、
前記表示装置は、前記録画予約に関する信号を前記受信手段が受信すると、前記録画装置が前記アンテナと接続されているかどうか、前記ケーブルのそれぞれを介して前記複数の録画装置に問い合わせる表示制御手段を有し、
前記複数の録画装置のそれぞれは、前記問い合わせがあると、前記装置本体が前記アンテナと接続されているかどうか確認し、その確認結果を前記ケーブルを介して前記表示装置に返信する返信手段を有し、
前記表示装置の前記表示制御手段は、前記返信手段から返信される前記確認結果に基づいて、前記複数の録画装置の内、前記アンテナと接続されていない前記録画装置を特定する装置特定情報を、画面に表示する。
【０００８】
この構成において、録画装置は、例えばＤＶＤレコーダ、ブルーレイレコーダである。また、表示装置は、例えば液晶テレビ、プラズマテレビである。そして、双方向型ケーブルは、例えばHDMIケーブルである。
この構成では、まず、ユーザが、リモコンから表示装置に録画予約の内容を入力する。例えば、ユーザは、５月３日の８時から１０１ＣＨで放送されるテレビ番組をＤＶＤレコーダに録画させる録画予約を表示装置に対し入力する。このとき、表示制御手段は、録画装置がアンテナと接続されているかどうか、複数の録画装置に問い合わせる。そして、確認結果が返信されると、表示制御手段は、確認結果に基づいて装置特定情報を画面に表示する。ユーザはこの装置特定情報を見て、録画させたい録画装置にアンテナケーブルが接続されているかどうか把握する。そして、録画させたい録画装置にアンテナケーブルが接続されていない場合、アンテナケーブルをその録画装置に接続する。そのため、その録画予約に基づく録画の失敗を未然に防ぐことができる。従って、ユーザの使い勝手を向上させることができる。
【０００９】
（２）前記双方向型のケーブルは、ＨＤＭＩケーブルで構成され、
前記表示制御手段と前記返信手段は、前記問い合わせに関する通信を、ＨＤＭＩ−CEC規格で定義される特殊コマンドで行う。
【００１０】
ＨＤＭＩ−CEC規格では、自由に特殊コマンドを作成できる。そこで、この構成においては、その特殊コマンドを利用する。
【００１１】
（３）前記表示制御手段は、前記録画予約で指定された１台の録画装置が前記装置特定情報に含まれている場合、前記録画予約の設定を拒む。
【００１２】
この構成では、録画させる録画装置がアンテナと接続されていない場合、入力された録画予約の設定を受付けない。そのため、ユーザが録画予約を設定したにも係わらず録画ができていないという状況をなくせる。よって、録画予約に基づく録画の失敗を未然に防ぐことができる。従って、ユーザの使い勝手を一層向上させることができる。
【００１３】
（４）前記表示制御手段は、録画予約時および録画開始前に、前記装置特定情報を前記画面に表示するよう前記表示手段に指示する。
【００１４】
録画予約時だけでなく、録画開始前にも装置特定情報を表示することで、録画開始前に、録画予約に基づく録画の失敗を未然に防ぐことができる。従って、ユーザの使い勝手を一層向上させることができる。
【００１５】
（５）前記録画装置は、ＤＶＤレコーダ、ブルーレイレコーダ、又はハードディスクレコーダで構成され、
前記装置特定情報は、前記録画装置の種類を示す情報である。
【００１６】
また、本発明の表示装置は、前記課題を解決するために以下の構成を備えている。
【００１７】
（６）アンテナで受信したテレビ番組の番組データをメディアに録画する複数の録画装置と複数の双方向型ケーブルのそれぞれを介して接続される複数の入力ポートと、
前記複数の録画装置のいずれかに対する録画予約の入力を受付けるリモコンから送信される信号を受信する受信手段と、を有する表示装置において、
前記録画予約に関する信号を前記受信手段が受信すると、前記録画装置が前記アンテナと接続されているかどうか、前記複数の双方向型ケーブルのそれぞれを介して前記複数の録画装置に問い合わせる表示制御手段を有し、
前記表示制御手段は、前記複数の録画装置から返信される返信結果に基づいて、前記複数の録画装置の内、前記アンテナと接続されていない前記録画装置を特定する装置特定情報を、画面に表示する。
【００１８】
この構成における表示装置は、上記（１）の録画予約システムに用いられる。
これにより、上記（１）と同様の効果を奏する。
【発明の効果】
【００１９】
この発明によれば、録画予約に基づく録画の失敗を未然に防ぐことができる。従って、ユーザの使い勝手を向上させることができる。
【発明を実施するための最良の形態】
【００２０】
以下、本発明の実施形態である録画予約システムについて説明する。
【００２１】
図１は、本発明の実施形態である録画予約システムのシステム構成図である。録画予約システム１０１は、ＤＶＤに対してデータの記録または読取を行うＤＶＤレコーダ１と、ブルーレイディスクに対してデータの記録または読取を行うブルーレイレコーダ２と、番組データを伝送するＨＤＭＩケーブル１０、２０のそれぞれを介してＤＶＤレコーダ１及びブルーレイレコーダ２と接続されるテレビ受像機３（以下、ＴＶ３と称する。）と、を備える。
【００２２】
ＤＶＤレコーダ１は、装置本体に接続されるアンテナ４で受信したテレビ番組の番組データをＤＶＤに録画するとともに、そのＤＶＤから番組データを読取って外部に出力する。ブルーレイレコーダ２は、装置本体に接続されるアンテナで受信したテレビ番組の番組データをブルーレイディスクに録画するとともに、そのブルーレイディスクから番組データを読取って外部に出力する。また、ＴＶ３は、ＤＶＤレコーダ１及びブルーレイレコーダ２のいずれかから出力された番組データを処理して映像を画面に表示する表示部３８と、録画予約の入力を受付けるリモコン５から送信される信号を受信する受光部３９Ａと、を有する。
【００２３】
この録画予約システム１０１には、HDMIケーブルで接続された機器を、ＴＶ３のリモコン５で連動制御できるようにするＣＥＣ(Consumer Electronic Control)機能が付いている。例えば、この機能により、ユーザは、DVDレコーダ１に付属するリモコンの再生キーを押すとＴＶ３の電源を同時に入れることができたり、DVDレコーダ１やブルーレイレコーダ２の録画予約の設定をＴＶ３側から行うことができる。
【００２４】
ここで、録画装置を代表して、ＤＶＤレコーダ１の構成について説明する。
図２は、本発明の実施形態である録画予約システムの光ディスク装置の主要な構成を示すブロック図である。ＤＶＤレコーダ１は、選択されているチャンネルで放送されるテレビ番組の放送波を受信する受信部１４と、その放送波からコンテンツデータを取り出す記録再生部２３と、DVD１００に対しデータの記録および読取を行うピックアップヘッド１６（以下、PUヘッド１６と称する。）と、RFアンプなどの再生部１５と、音声信号を出力する音声処理部１７と、画像信号を出力する画像処理部１８と、HDMIケーブル１０を差し込むHDMIポート１１と、ユーザによる操作入力を受け付ける操作部１９と、データを記憶する記憶部１２と、ＤＶＤレコーダ１の各部の動作を制御する制御部１３と、を備えている。
【００２５】
また、ＤＶＤレコーダ１は、HDMIポート１１に差し込まれたHDMIケーブル１０を介して、テレビ３に接続されている。テレビ３は、HDMI規格対応の液晶テレビである。
ＨＤＭＩは、High  Definition  Multimedia  Interfaceの略であり、ＤＶＤ再生装置等の出力装置からテレビ受像機やプロジェクタ等の表示装置へディジタルＡ／Ｖ信号を伝送するためのインタフェースである。ＨＤＭＩは、従来の規格であるＤＶＩ（Digital  Visual  Interface  for  Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。
ＨＤＭＩでは、DDC（Display  Date  Channel）を介して、ＤＶＤレコーダ１がテレビ３で表示可能な映像信号の解像度などの情報を読み込むことができる。
【００２６】
また、記憶部１２は、書換可能な不揮発性のメモリであり、例えばフラッシュメモリで構成される。記憶部１２は、テレビ３の各部の動作を制御する制御方法が記述された制御プログラムを記憶する。
【００２７】
制御部１３は、例えばマイクロコンピュータで構成される。制御部１３は、上記制御プログラムで処理されるデータを展開するためのワークフィールドとしてのＲＡＭ（不図示）を内蔵する。また、制御部１３は、制御信号（コマンド）を伝送するための制御ライン１３Ａを介してHDMIポート１１と接続されている。
なお、制御部１３が、本発明の「返信手段」に相当する。
【００２８】
PUヘッド１６は、図示しないレーザダイオード（ＬＤ）、コリメータレンズ、ビームスプリッタ、対物レンズ、フォトディテクタ、スレッドモータ、及び２軸のアクチュエータを備えている。
PUヘッド１６は、ＤＶＤ１００の半径方向に延びる軸に移動自在に取り付けられている。スレッドモータが、PUヘッド１６をＤＶＤ１００の半径方向に移動する。
ＬＤは、レーザ光を出力する光源であり、フォトディテクタは、複数の受光素子で形成されており、ＤＶＤ１００からの反射光を検出する。フォトディテクタは、例えば、受光領域がほぼ均等に４分割されており、４つの受光領域を形成している。
対物レンズは、ＤＶＤ１００に対するレーザ光の照射位置を調節する。また、２軸のアクチュエータは、対物レンズをＤＶＤ１００に接離する方向、及びＤＶＤ１００の半径方向に移動させる。
【００２９】
まず、録画動作を行う部分の構成について詳述する。
受信部１４は、例えばディジタルチューナで構成される。受信部１４は、制御部１３の指示に基づいて、アンテナ４で受信されるテレビ放送信号から、選択されているチャンネルで放送されるテレビ放送信号を受信（抽出）する。さらに、受信部１４は、そのテレビ放送信号を、ディジタルデータであるトランスポートストリームに復調し、記録再生部１５に出力する。このトランスポートストリームには、テレビ番組を示すコンテンツデータが記述されたパケット群、全チャンネルのテレビ番組の放送予定を示すＥＰＧデータが記述されたパケット群、等が含まれる。ここで、コンテンツデータは、例えばＭＰＥＧでエンコードされている。
【００３０】
記録再生部１５は、複数パケットを蓄積するためのバッファメモリ（不図示）を内蔵する。記録再生部１５は、入力されたトランスポートストリームから、コンテンツデータを取り出し、ＥＦＭする。そして、記録再生部１５は、そのディジタル信号をＰＵヘッド１６に出力する。
【００３１】
ＰＵヘッド１６は、記録再生部１５からディジタル信号が入力されると、このディジタル信号に応じて記録パワーのレーザ光を調整し、ＤＶＤ１００の記録面に照射する。これにより、ＤＶＤレコーダ１は、テレビ番組の番組データをＤＶＤ１００に録画する。
【００３２】
次に、再生動作を行う部分の構成について説明する。
PUヘッド１６は、ＤＶＤ１００に対して読取パワーのレーザ光を照射し、ＤＶＤ１００からの反射光をフォトディテクタで検出する。これにより、ＤＶＤ１００に記録されている情報を光学的に読み出す。
【００３３】
記録再生部１５は、PUヘッド１６における複数の受光素子の出力に基づいてＲＦ信号を生成し、該ＲＦ信号を増幅する。そして、記録再生部１５は、該ＲＦ信号を処理して画像と音声のデータを取り出し、それぞれデコードする。ここで、取り出される画像データは、例えばＭＰＥＧでエンコードされている。また、取り出される音声データは、例えばＭＰＥＧ、AC３でエンコードされている。そして、記録再生部１５は、音声データを音声処理部１７に、画像データを画像処理部１８に、両データの同期を取りながら、それぞれ出力する。
【００３４】
音声処理部１７は、伸長された音声データをディジタルの再生音声信号として外部のテレビ３に出力する。画像処理部１８は、伸長された画像データをディジタルの再生画像信号として外部のテレビ３に出力する。
音声処理部１７及び画像処理部１８は、HDMIポート１１に差し込まれたHDMIケーブル１０を介してテレビ３と繋がっている。音声処理部１７及び画像処理部１８は、上記のディジタル信号を、HDMIケーブル１０を介して、ＴＭＤＳ（Transition  Minimized  Differential  Signaling）方式でテレビ３に送信する。
なお、ブルーレイレコーダ２も、図２に示すＤＶＤレコーダ１と同様の構成である。ブルーレイレコーダ２も、同様に、HDMIケーブル２０を介してテレビ３と繋がっている。
【００３５】
図３は、本発明の実施形態である録画予約システムのテレビ受像機の主要な構成を示すブロック図である。テレビ３は、所謂液晶テレビであり、HDMIケーブル１０が差し込まれるHDMIポート３１と、HDMIケーブル２０が差し込まれるHDMIポート３２と、ディジタルの再生音声信号をＤ／Ａ変換する音声出力部３５と、ディジタルの再生画像信号をＤ／Ａ変換する映像出力部３６と、アナログの再生音声信号を処理して音声を放音するスピーカ３７と、アナログの再生画像信号を処理して画像を表示する表示部３８と、ユーザによる操作を受け付ける操作部３９と、データを記憶する記憶部３４と、ＤＶＤレコーダ１の各部の動作を制御する制御部３３と、を備えている。
HDMIポート３１は、HDMIケーブル１０を介して画像データおよび音声データを受信すると、画像データを映像出力部３６に、音声データを音声出力部３５に、それぞれ伝送する。同様に、HDMIポート３２は、HDMIケーブル２０を介して画像データおよび音声データを受信すると、画像データを映像出力部３６に、音声データを音声出力部３５に、それぞれ伝送する。
【００３６】
音声出力部３５は、ディジタルの音声データをＤ／Ａ変換し、増幅してからスピーカ３７に出力する。
【００３７】
また、映像出力部３６は、文字又は図形からなるＯＳＤ（オンスクリーンディスプレイ）のデータを記憶するＯＳＤメモリ３６Ａを内蔵する。映像出力部３６は、制御部３３の指示に基づいて、画像データに基づく画像と、ＯＳＤメモリ３６Ａが記憶しているＯＳＤと、を合成する。そして、画像合成部６は、その合成された画像データをＤ／Ａ変換し、表示部３８に出力する。または、画像合成部６は、合成を行わずに、HDMIポート３１、３２のいずれかから伝送された画像データをＤ／Ａ変換し、表示部３８に出力する。
【００３８】
スピーカ３７は、入力されたアナログの再生音声信号を処理して音声を放音する。表示部３８は、入力されたアナログの再生画像信号を処理して画像を表示する。
【００３９】
ユーザは、表示部３８及びスピーカ３７によって、ＤＶＤレコーダ１から出力された再生画像信号に基づく画像、及びＤＶＤレコーダ１から出力された再生音声信号に基づく音声を視聴することができる。
【００４０】
記憶部３４は、書換可能な不揮発性のメモリであり、例えばフラッシュメモリで構成される。記憶部３４は、テレビ３の各部の動作を制御する制御方法が記述された制御プログラムを記憶する。
【００４１】
制御部３３は、例えばマイクロコンピュータで構成される。制御部３３は、上記制御プログラムで処理されるデータを展開するためのワークフィールドとしてのＲＡＭ（不図示）を内蔵する。また、制御部３３は、コマンドを伝送するための制御ライン３３Ａを介してHDMIポート３１と接続されている。これにより、制御部３３は、ＴＶ３に接続された機器の制御部（この実施形態ではＤＶＤレコーダ１の制御部１３）とコマンドのやり取りを行う。
【００４２】
操作部３９には、リモコン５から赤外光で送信された操作信号を受信する受光部３９Ａが設けられている。リモコン５には、複数のキーが設けられており、押下されたキーに応じた操作信号を送信する。複数のキーには、例えば録画予約の入力を受付ける録画予約キーが設けられている。
【００４３】
以上の録画予約システム１０１において、ユーザは、リモコン５をDVDレコーダ１のリモコンに持ちかえることなく、DVDレコーダ１の録画予約の設定をＴＶ３に対し行うことができる。または、この録画予約システム１０１において、ユーザは、リモコン５をブルーレイレコーダ２のリモコンに持ちかえることなく、ブルーレイレコーダ２の録画予約の設定をＴＶ３に対し行うことができる。例えば、ユーザは、５月３日の８時から１０１ＣＨで放送されるテレビ番組をＤＶＤレコーダに録画させる録画予約をＴＶ３に対し設定する。
【００４４】
図４は、本発明の実施形態である録画予約システムのテレビ受像機の制御部が行う動作を示すフローチャートである。この動作は、ユーザが録画予約キーを操作して録画予約をＴＶ３に入力した時の動作である。
【００４５】
録画予約の入力が完了すると、制御部３３は、ＣＥＣのネットワークを構成する機器を検索する（Ｓ１）。この検索は、ＨＤＭＩ−CEC規格で定義されるPolling Messageコマンドを用いて、論理アドレスが１から１４の値を持つ機器を確認することにより行われる。この実施形態では、ＤＶＤレコーダ１とブルーレイレコーダ２とＴＶ３とによってＣＥＣのネットワークを構成しているので、ＤＶＤレコーダ１とブルーレイレコーダ２とのそれぞれから、接続されていることを示すACKが返信される。これにより、ＴＶ３は、接続されている機器の論理アドレスが取得できる。この論理アドレスは、装置の種類を示す情報であり、例えばＤＶＤプレーヤやブルーレイプレーヤなどの再生機器、ブルーレイレコーダやハードディスクレコーダなどの録画機器を表す。
【００４６】
次に、制御部３３は、返信された論理アドレスに基づいて録画機器が接続されているかどうか判定する（Ｓ２）。例えば、論理アドレスとしてPlayback Device1、Playback Device 2、又はPlayback Device 3が返信されると、判定は否定となる。逆に、論理アドレスとしてRecording Device1、Recording Device 2、又はRecording Device 3のいずれかが返信されると、判定は肯定となる。
【００４７】
録画機器が接続されていると判定すると、制御部３３は、アンテナケーブル４と接続されているかどうか確認する確認コマンドを、ＨＤＭＩケーブル１０、２０のそれぞれを介してＤＶＤレコーダ１とブルーレイレコーダ２とに送信する（Ｓ３）。Ｓ３について詳述すると、ＤＶＤレコーダ１の制御部１３は、問い合わせがあると、装置本体がアンテナケーブル４と接続されているかどうか確認する。この確認は、受信部１４に映像信号が入力されているかどうかを確認することにより行われる。そして、制御部１３は、その確認結果を制御ライン１３Ａ及びＨＤＭＩケーブル１０を介してＴＶ３に返信する。同様に、ブルーレイレコーダ２も、問い合わせがあると、装置本体がアンテナケーブル４と接続されているかどうか確認し、その確認結果をＨＤＭＩケーブル２０を介してＴＶ３に返信する。
なお、制御部３３とＤＶＤレコーダ１及びブルーレイレコーダ２の制御部とは、問い合わせに関する通信を、ＨＤＭＩ−CEC規格で定義される特殊コマンドで行う。
【００４８】
ＴＶ３の制御部３３は、確認結果が返信されると、録画予約に基づく録画を実行する録画装置がアンテナケーブル４と接続されているかどうか判定する（Ｓ４）。録画予約に基づく録画を実行する録画装置がアンテナケーブル４と接続されていれば、制御部３３は、入力された録画予約の内容を、HDMIケーブル１０を介してDVDレコーダ１に送信（設定）する（Ｓ５）。そして、DVDレコーダ１は、その録画予約内容に基づいて録画を行う。
【００４９】
一方、録画予約に基づく録画を実行する録画装置がアンテナケーブル４と接続されていなければ、制御部３３は、全ての機器に確認コマンドが送信されたかどうか判定する（Ｓ６）。制御部３３は、Ｓ３に戻り、処理を継続する。
なお、Ｓ６は、確認コマンドの誤送信をチェックするために設けられた処理であるので、実施の際は、Ｓ６を省略しても構わない。
【００５０】
そして、Ｓ６の後、制御部３３は、接続機器から返信される確認結果に基づいて、複数の録画装置の内、アンテナケーブル４と接続されていない録画装置を特定する装置特定情報を、画面に表示するよう映像出力部３６に指示する（Ｓ７）。例えばユーザがブルーレイレコーダ２に録画させる旨の録画予約をＴＶ３に設定した場合、ブルーレイレコーダ２にはアンテナケーブルが接続されていないので、ＴＶ３には図５に示すメッセージがＯＳＤで表示される。そして、制御部３３は、入力された録画予約の設定を受付けないで、本処理を終了する。
【００５１】
一方、Ｓ２において録画機器が接続されていないと判定すると、制御部３３は、録画可能な機器が接続されていない旨を（図６参照）、ＴＶ３にＯＳＤで表示する（Ｓ８）。
【００５２】
以上より、ＴＶ３は、図５及び図６のようにメッセージを表示することで、装置特定情報をユーザに知らせている。ユーザはこのメッセージを見て、録画させたい録画装置にアンテナケーブルが接続されているかどうか把握する。そして、録画させたい録画装置にアンテナケーブルが接続されていない場合、アンテナケーブルをその装置に接続する。そのため、その録画予約に基づく録画の失敗を未然に防ぐことができる。従って、ユーザの使い勝手を向上させることができる。
また、録画させたい録画装置にアンテナケーブルが接続されていない場合、入力された録画予約の設定を受付けないので、ユーザが録画予約を設定したにも係わらず録画ができていないという状況をなくせる。よって、録画予約に基づく録画の失敗を未然に防ぐことができる。従って、ユーザの使い勝手を一層向上させることができる。
【００５３】
なお、制御部３３は、録画予約時だけでなく、録画開始前（例えば５分前）にも図４の動作を行っても構わない。そして、録画開始前に、録画予約に基づく録画を実行する録画装置がアンテナケーブルと接続されていなければ、制御部３３は、装置特定情報を画面に表示させても構わない（図５、６参照）。これにより、録画開始前に、録画予約に基づく録画の失敗を未然に防ぐことができる。従って、ユーザの使い勝手を一層向上させることができる。
【図面の簡単な説明】
【００５４】
【図１】本発明の実施形態である録画予約システムのシステム構成図である。
【図２】本発明の実施形態である録画予約システムの光ディスク装置の主要な構成を示すブロック図
【図３】本発明の実施形態である録画予約システムのテレビ受像機の主要な構成を示すブロック図
【図４】本発明の実施形態である録画予約システムのテレビ受像機の制御部が行う動作を示すフローチャート
【図５】テレビ画面に表示される表示内容の一例を示す図
【図６】テレビ画面に表示される表示内容の一例を示す図
【符号の説明】
【００５５】
１…ＤＶＤレコーダ
２…ブルーレイレコーダ
３…テレビ受像機
４…アンテナ
４Ａ…アンテナケーブル
５…リモコン
６…画像合成部
１０…ＨＤＭＩケーブル
１２…記憶部
１３…制御部
１３Ａ…制御ライン
１４…受信部
１５…記録再生部
１６…ピックアップヘッド
１７…音声処理部
１８…画像処理部
１９…操作部
２０…ＨＤＭＩケーブル
２３…記録再生部
３１…ＨＤＭＩポート
３３…制御部
３３Ａ…制御ライン
３４…記憶部
３５…音声出力部
３６…映像出力部
３６Ａ…ＯＳＤメモリ
３７…スピーカ
３８…表示部
３９…操作部
３９Ａ…受光部
１００…ＤＶＤ
１０１…録画予約システム
【図１】
2009225396.tif 000003
【図２】
2009225396.tif 000004
【図３】
2009225396.tif 000005
【図４】
2009225396.tif 000006
【図５】
2009225396.tif 000007
【図６】
2009225396.tif 000008